(57)【要約】      （修正有）【課題】釣り糸が容易に繰り出されるようにした電動リールを提供する。【解決手段】釣り糸１５３を巻き取るスプール１２２と、スプール１２２を回転させるモータと、釣り糸１５３を竿先まで案内する釣竿１５１が装着される釣竿装着部１１６と、を備えた電動リール１００であって、釣竿装着部１１６は、スプール１２２の回転中心軸の方向に見たときに、スプール１２２に巻き取られた釣り糸１５３の最小外径と最大外径との間の外径の接線上に釣竿１５１が位置するように設けられている。【選択図】図３
0003189226.tif 000002
【実用新案登録請求の範囲】
【請求項１】
釣り糸を巻き取るスプールと、
上記スプールを回転させるモータと、
上記釣り糸を竿先まで案内する釣竿が装着される釣竿装着部と、
を備えた電動リールであって、
上記釣竿装着部は、上記スプールの回転中心軸の方向に見たときに、スプールに巻き取られた釣り糸の最小外径と最大外径との間の外径の接線上に上記釣竿が位置するように設けられていることを特徴とする電動リール。
【請求項２】
請求項１の電動リールであって、
さらに、上記スプールの回転中心軸の方向に見たときに上記接線上に位置し、上記釣り糸を案内するとともに、上記釣り糸を巻き取る際に上記釣り糸に設けられたストッパの通過を阻止して巻き取りを停止させるストッパガイドが設けられていることを特徴とする電動リール。
【請求項３】
請求項２の電動リールであって、
さらに、モータ自動停止スイッチを備えるとともに、
上記ストッパガイドは、上記釣り糸のストッパが当接した後、釣り糸の巻き取り方向へ移動したときに、上記モータ自動停止スイッチをオフにしてモータを停止させるように構成されたことを特徴とする電動リール。
【請求項４】
請求項１から請求項３のうち何れか１項の電動リールであって、
上記スプールは、上記釣り糸を繰り出す際に、上記モータとの結合を解除し得るように構成されたことを特徴とする電動リール。
【請求項５】
請求項１から請求項４のうち何れか１項の電動リールであって、
上記スプールは、鉛直方向の回転中心軸の回りに回転するように構成されたことを特徴とする電動リール。
【請求項６】
請求項１から請求項５のうち何れか１項の電動リールであって、
上記スプールは本体部の前方部に設けられるとともに、本体部における上記前方部の後方に握り部が設けられ、
平坦面上に載置されたときに、上記握り部の後端部が上記平坦面との間に隙間を有するように構成されていることを特徴とする電動リール。
【考案の詳細な説明】
【技術分野】
【０００１】
本考案は、釣り糸を巻き上げる電動リールに関するものである。
【背景技術】
【０００２】
例えばワカサギ等の小魚を釣るために、小型の電動リールが用いられている。この種の電動リールは、釣り糸を巻き上げるスプールと、そのスプールを回転させるモータとを備え、比較的短い弾力性のある釣り竿が装着され得るようになっている。また、上記スプールの竿先側には、釣り糸を巻き上げているときに仕掛けがスプールに巻き込まれないようにするために、釣り糸の巻き上げを停止させるストッパガイドを備えたものが知られている（例えば、特許文献１参照。）。
【先行技術文献】
【特許文献】
【０００３】
【特許文献１】特開２０１２−６０９６０号公報
【考案の概要】
【考案が解決しようとする課題】
【０００４】
上記のような電動リールは、釣り糸を巻き上げる際には、モータによってスプールを回転させる一方、釣り糸を繰り出す際には、スプールが軽く回るようにして、仕掛けの重さによって釣り糸を繰り出させるようになっている。しかしながら、ワカサギなどの小魚を釣る場合のように非常に軽い仕掛けが用いられる場合には、その仕掛けの自重だけによって釣り糸をスムーズに繰り出させることが困難な場合がある。
【０００５】
本考案は、かかる点に鑑みてなされたものであり、その目的は、軽い仕掛けが用いられる場合でも、釣り糸が容易に繰り出されるようにすることにある。
【課題を解決するための手段】
【０００６】
第１の考案は、
釣り糸を巻き取るスプールと、
上記スプールを回転させるモータと、
上記釣り糸を竿先まで案内する釣竿が装着される釣竿装着部と、
を備えた電動リールであって、
上記釣竿装着部は、上記スプールの回転中心軸の方向に見たときに、スプールに巻き取られた釣り糸の最小外径と最大外径との間の外径の接線上に上記釣竿が位置するように設けられていることを特徴とする。
【０００７】
これにより、釣り糸の繰り出し、巻き上げ時の摩擦抵抗が非常に小さく抑えられる。それゆえ、例えば仕掛けが軽い場合でも、仕掛けの自重だけによって釣り糸をスムーズに繰り出させることが容易にできる。
【０００８】
第２の考案は、
第１の考案の電動リールであって、
さらに、上記スプールの回転中心軸の方向に見たときに上記接線上に位置し、上記釣り糸を案内するとともに、上記釣り糸を巻き取る際に上記釣り糸に設けられたストッパの通過を阻止して巻き取りを停止させるストッパガイドが設けられていることを特徴とする。
【０００９】
これにより、ストッパガイドによる釣り糸の摩擦抵抗も小さく抑えられるので、やはり、釣り糸をスムーズに繰り出させることが容易にできる。
【００１０】
第３の考案は、
第２の考案の電動リールであって、
さらに、モータ自動停止スイッチを備えるとともに、
上記ストッパガイドは、上記釣り糸のストッパが当接した後、釣り糸の巻き取り方向へ移動したときに、上記モータ自動停止スイッチをオフにしてモータを停止させるように構成されたことを特徴とする。
【００１１】
これにより、仕掛けがスプールに巻き込まれるのを防止するとともにモータの過負荷を防止することができる。
【００１２】
第４の考案は、
第１の考案から第３の考案のうち何れか１つの電動リールであって、
上記スプールは、上記釣り糸を繰り出す際に、上記モータとの結合を解除し得るように構成されたことを特徴とする。
【００１３】
これにより、スプールを釣り糸の巻き上げ状態にしたり、軽く回るようにして釣り糸が繰り出されるようにしたりすることが容易にできる。
【００１４】
第５の考案は、
第１の考案から第４の考案のうち何れか１つの電動リールであって、
上記スプールは、鉛直方向の回転中心軸の回りに回転するように構成されたことを特徴とする。
【００１５】
これにより、例えばスプールの脱着などを電動リールの上方からでき、メインテナンスなどの取り扱いを容易にできる。
【００１６】
第６の考案は、
第１の考案から第５の考案のうち何れか１つの電動リールであって、
上記スプールは本体部の前方部に設けられるとともに、本体部における上記前方部の後方に握り部が設けられ、
平坦面上に載置されたときに、上記握り部の後端部が上記平坦面との間に隙間を有するように構成されていることを特徴とする。
【００１７】
これにより、電動リールが平坦な氷上や床上、台上などに載置されたときに、電動リールの後方の部分と床などとの間に隙間が形成されているので、電動リールの後方部分を上から押し下げることにより、いわゆる誘いの操作を簡単に、また、手や手首に大きな負担をかけることなく繰り返すことなどが容易にできる。
【考案の効果】
【００１８】
本考案によれば、軽い仕掛けが用いられる場合でも、釣り糸を容易に繰り出させることができる。
【図面の簡単な説明】
【００１９】
【図１】電動リール１００の構成を示す斜視図である。
【図２】電動リール１００の構成を示す右側面図である。
【図３】電動リール１００の構成を示す平面図である。
【図４】電動リール１００の主な内部構造を示す説明図である。
【図５】電動リール１００の構成を示す正面図である。
【図６】電動リール１００の構成を示す左側面図である。
【図７】電動リール１００の構成を示す底面図である。
【図８】電動リール１００の構成を示す背面図である。
【図９】電動リール１００の使用状態を示す説明図である。
【考案を実施するための形態】
【００２０】
以下、本考案の実施形態を図１〜図９に基づいて詳細に説明する。なお、各図に表された細線は、立体形状を表す線である。
【００２１】
電動リール１００は、手に持つときに握られる握り部１０１と、スプール１２２が設けられた前方部１０２とを有している。上記握り部１０１および前方部１０２の上方側は上部カバー１１１によって形成される一方、下方側は、下部カバー１１２、および電池蓋１１３によって形成されている。前方部１０２の下面側には平坦部が形成され、パッド１１４・１１５が取り付けられている。
【００２２】
前方部１０２の前端部には、釣竿１５１が差し込まれる装着穴１１６ａを有する釣竿装着部１１６が設けられている。上記釣竿１５１は、平面視（図３）において、スプール１２２に巻き取られた釣り糸１５３の最小外径と最大外径（すなわち、釣り糸１５３の巻き始めの外径と最も多く巻かれたときの外径、換言すれば、スプール１２２の芯部の外径と鍔の外径）との間の外径の接線上に位置するようになっている。
【００２３】
スプール１２２は、電動リール１００の前方部１０２に固定された鉛直方向の回転軸１２１の回りに回転自在に設けられ、ナット１２３によって、回転軸１２１から抜け出さないようにされている。スプール１２２の上部には、例えば針金がクリップのように折り曲げられた釣り糸ストッパ１２２ａが設けられ、これに釣り糸１５３を巻き付けることによって、釣り糸１５３の繰り出しを止め得るようになっている。
【００２４】
上記スプール１２２は、より詳しくは、図４に示すように、内部に上下１対のベアリング１４３が設けられ、上記ベアリング１４３の内輪に回転軸１２１が挿通されている。スプール１２２を回転駆動するモータ１４１は、電動リール１００の内部における、スプール１２２の後方側に設けられ、電動リール１００の下面側の電源スイッチ１３１（図２）がオンにされ、かつ、側面に設けられた２つの巻き上げスイッチ１３２の何れか一方が押されたときに、回転するようになっている。
【００２５】
上記モータ１４１は、前方側が上下に揺動可能に設けられ、上方側に揺動したときに、モータ１４１のシャフト１４１ａに取り付けられた摩擦チューブ１４２がスプール１２２の下面側外周部に押し付けられてモータ１４１の駆動力が伝達され、スプール１２２が釣り糸１５３を巻き上げるようになっている。また、スプール１２２とモータ１４１との間には、回動軸１２４ａ回りに回動自在のレバー１２４が設けられ、その下部に形成されたカム１２４ｂがモータ１４１のシャフト１４１ａを下方に押圧すると、上記スプール１２２の下面側外周部と摩擦チューブ１４２との接触が解除され、スプール１２２は小さな力で回転し得るフリーな状態になるようになっている。
【００２６】
また、平面視において、上記釣竿１５１の延長線上の位置（または釣竿１５１と重なる位置）には、釣り糸１５３を案内するとともに、上記釣り糸１５３を巻き上げる際に上記釣り糸１５３に設けられたストッパ１５５（図９）の通過を阻止して巻き上げを停止させるストッパガイド１２５が設けられている。より詳しくは、ストッパガイド１２５は、例えば針金がループ状に折り曲げられて形成され、図示しないモータ自動停止スイッチに結合されている。このモータ自動停止スイッチは、釣り糸１５３が巻き上げられて上記ストッパ１５５がストッパガイド１２５に当接した後さらに釣り糸１５３が巻き上げられたときに、モータ自動停止スイッチをオフにしてモータ１４１を停止させるようになっている。
【００２７】
電動リール１００における握り部１０１の後端部には、下方に張り出し部１１７が形成されている。この張り出し部１１７の下端は、電動リール１００が平坦面上に載置されたときに、上記平坦面との間に所定の隙間が形成されるようになっている。すなわち、パッド１１４・１１５の下面を含む平面よりも張り出し部１１７の下端が上方に位置するとともに、電動リール１００の重心はパッド１１５の後縁の位置よりも前方側に位置するようになっている。また、上記張り出し部１１７には、紐通し用穴１１７ａが形成され、ストラップ等を取り付けることによって、電動リール１００の落下防止や携帯性向上を図り得るようになっている。
【００２８】
上記のような電動リール１００は、スプール１２２に巻き付けられた釣り糸１５３の先端が、例えば図９に示すように、ストッパガイド１２５、ストッパ１５５、および釣竿１５１のガイドリング１５２に通され、その先端に、図示しない仕掛けを取り付けるためのサルカン１５６等が取り付けられて用いられる。上記釣り糸１５３におけるストッパ１５５よりも先端側の部分には、ストッパ１５５における釣り糸１５３が通される穴よりも大きな結び目１５４等が設けられ、釣り糸１５３が図９に示す位置よりも巻き取られると、ストッパ１５５がストッパガイド１２５に押し付けられて、モータ自動停止スイッチがオフになりモータ１４１が停止するようになっている。
【００２９】
上記のような電動リール１００では、釣竿１５１が、図３に示すように、平面視においてスプール１２２に巻き取られた釣り糸１５３のほぼ接線上に位置し、また、ストッパガイド１２５は釣竿１５１の延長線上の位置に設けられているので、釣り糸１５３の繰り出し、巻き上げ時の摩擦抵抗が非常に小さく抑えられる。それゆえ、例えば仕掛けが１ｇ程度などと軽い場合でも、仕掛けの自重だけによって釣り糸１５３をスムーズに繰り出させることが容易にできる。
【００３０】
また、上記のように、電動リール１００が平坦面上に載置されたときに、張り出し部１１７の下端と上記平坦面との間に隙間が形成されているので、電動リール１００を平坦な氷上や床上、台上などに置いて、電動リール１００の後側部分（少なくともパッド１１５の後縁よりも後の部分）を上から押し下げることにより、シーソーのように釣竿１５１の竿先を上方に移動させることができる。すなわち、電動リール１００を握ったり持ち上げたりすることなく、いわゆる誘いの操作を簡単に繰り返すことができる。また、誘いの操作を長時間行っても手や手首にかける負担を軽減することもできる。
【００３１】
なお、上記のような張り出し部１１７を必ずしも設けなくても、握り部１０１の後側部分と上記平坦面との間に所定の間隔が空いていれば同様の効果が得られるが、張り出し部１１７を設ける場合には上記間隔の設定が容易になるとともに、握り部１０１の形状や太さ、握りやすさなどの設定の自由度を高めることも容易になる。例えば握り部１０１における張り出し部１１７よりも前方側の部分の下面位置が高くなるようにして、載置された電動リール１００の握り部１０１の下側に手指を差し入れやすくし、電動リール１００を持ち上げやすくすることなどが容易にできる。
【符号の説明】
【００３２】
１００      電動リール
１０１      握り部
１０２      前方部
１１１      上部カバー
１１２      下部カバー
１１３      電池蓋
１１４・１１５    パッド
１１６      釣竿装着部
１１６ａ    装着穴
１１７      張り出し部
１１７ａ    紐通し用穴
１２１      回転軸
１２２      スプール
１２２ａ    釣り糸ストッパ
１２３      ナット
１２４      レバー
１２４ａ    回動軸
１２４ｂ    カム
１２５      ストッパガイド
１３１      電源スイッチ
１３２      巻き上げスイッチ
１４１      モータ
１４１ａ    シャフト
１４２      摩擦チューブ
１４３      ベアリング
１５１      釣竿
１５２      ガイドリング
１５３      釣り糸
１５４      結び目
１５５      ストッパ
１５６      サルカン
【図１】
0003189226.tif 000003
【図２】
0003189226.tif 000004
【図３】
0003189226.tif 000005
【図４】
0003189226.tif 000006
【図５】
0003189226.tif 000007
【図６】
0003189226.tif 000008
【図７】
0003189226.tif 000009
【図８】
0003189226.tif 000010
【図９】
0003189226.tif 000011